【手続補正書】
【提出日】平成19年4月3日(2007.4.3)
【手続補正１】
【補正対象書類名】特許請求の範囲
【補正対象項目名】全文
【補正方法】変更
【補正の内容】
【特許請求の範囲】
【請求項１】
−  被験者の皮膚にユニットを接着させる接着手段を含む取り付け面（１５１）を有し、接着手段が接着手段に取り外し可能に取り付けられる保護手段に覆われている、皮膚に取り付け可能なユニット（１５０）、
−  皮膚に取り付け可能なユニットに取り外し可能に取り付けられ、皮膚に取り付け可能なユニットを少なくとも部分的に収容する内部空間（１１５）を含み、且つ開口を有するハンドリングユニット（１１０）であって、この開口を通してハンドリングユニットから外れた状態の皮膚取り付け部材を移動することができ、更に開口を包囲する部分を有するハンドリングユニット、及び
−  包囲部分に取り外し可能に取り付けられて、皮膚に取り付け可能なユニットの閉じ空間を画定する密封部材（１１３）
を備え、
−  密封部材を取り外すことによって保護手段が接着手段から外れる
装置（１００）。
【請求項２】
ハンドリングユニットが開口を取り囲む外周部分（１１１）を含む、請求項１記載の装置。
【請求項３】
外周部分が概略平面を形成する、請求項２記載の装置。
【請求項４】
取り付け面（１５１、９１８）がほぼ平坦であり、且つハンドリングユニットの包囲部分によって画定される概略平面にほぼ対応するように配置される、請求項３記載の装置。
【請求項５】
密封部材が接着手段に取り外し可能に取り付けられて保護手段となっている、請求項４記載の装置。
【請求項６】
取り付け面が概略平面から後退した位置に配置されている、請求項４記載の装置。
【請求項７】
保護手段が接着手段に取り付けられた剥離可能なシート部材（３５１）によって形成され、シート部材は密封部材（３１３）に接続される、請求項１ないし６のいずれか一項に記載の装置。
【請求項８】
皮膚に取り付け可能なユニット（１５０、４５０）が、被験者の皮膚を貫通するのに適した尖った先端を有する経皮装置（４６０）を更に含み、経皮装置は、先端が取り付け面より後退している第１位置及び先端が取り付け面から突出する第２位置を有する、前出の請求項のうちいずれか一項に記載の装置。
【請求項９】
更に、ハンドリングユニットに接続され、且つ皮膚に取り付け可能なユニットに取り付けられるハンドリングユニットにより駆動手段が作動するときに経皮装置を第１位置から第２位置に移動させる作動可能な駆動手段（１４０、４４０）を備える、請求項８記載の装置。
【請求項１０】
駆動手段がバネ手段（１４０、４４０）を含み、ハンドリングユニットが更に、
−  第１状態から中間状態を経て経皮装置が、経皮装置が第２位置に移動する第２状態にまで作動できる作動手段（１２０）
を含み、
−  作動手段が第１状態から中間状態にまで作動することによって駆動手段が作動し、作動手段が中間状態から第２状態にまで作動することによって作動バネ手段が解放されて経皮装置が第１位置から第２位置に移動する、請求項９記載の装置。
【請求項１１】
作動手段は第１位置から中間位置を経て第２位置にまで移動する作動素子（１２０）を含み、好適にはこの移動は非複合運動である、請求項１０記載の装置。
【請求項１２】
作動手段が第１状態から中間状態を経て第２状態にまで至る動作は、２つの作動素子（４２０、４３０）を互いに対して移動させることにより行なわれる、請求項１０記載の装置。
【請求項１３】
駆動手段をその作動状態にロックできる、請求項９ないし１２のいずれか一項に記載の装置。
【請求項１４】
駆動手段は、作動状態にあるか、又は作動状態にできるバネ手段（５４０）を含み、第２ユニットはバネ手段を作動状態に解放可能に保持するトリガー手段（５４２）を含み、トリガー手段はバネ手段を解放して経皮装置を第１位置から第２位置に移動させるように動作可能である、請求項９記載の装置。
【請求項１５】
ハンドリングユニットは内部空間を画定するハウジング（１１０）を含み、皮膚に取り付け可能なユニットは内部空間に面する上側部分（１５６）を含み、駆動手段（１４０）は上側部分とハウジングとの間の内部空間の内部に配置される、請求項９ないし１４のいずれか一項に記載の装置。
【請求項１６】
インサータ（６１０）と組み合わせた装置であって、インサータが、
−  ハンドリングユニットを取り外し可能に収納且つ支持する手段（６１１）、及び
−  作動可能な駆動手段（６４０）
を含み、
ハンドリングユニットが、駆動手段が作動すると駆動手段によって移動可能になる部分（６５７）を含み、ハンドリングユニットの移動可能な部分は、皮膚に取り付け可能なユニットに係合して経皮装置をその第１位置から第２位置に移動させるように構成される、請求項８記載の装置。
【請求項１７】
経皮装置が中空の注射針（９４４）であり、皮膚に取り付け可能なユニットが更に、
−  液体薬剤を収容するのに適し、使用の際注射針と流体連通する放出口を含む貯蔵容器（４７０、９５０）、及び
−  貯蔵容器から被験者の皮膚を経て注射針を介して薬剤を放出する放出手段（９４０）
を含む、請求項８ないし１６のいずれか一項に記載の装置。
【請求項１８】
経皮装置がカニューレ（８６０）であり、このカニューレは、カニューレ内に少なくとも一部が収納される尖った注射針（８８０）と組み合わされており、カニューレは先端開口を有し、
−  カニューレ及び注射針は、駆動手段が作動すると駆動手段によってそれぞれの第１位置からそれぞれの第２位置に同時に移動するように構成され、
−  注射針は、カニューレ及び注射針がそれぞれの第２位置への移動を完了したとき、先端開口から離れる方向に移動できるように構成される、
請求項９ないし１６のいずれか一項に記載の装置。
【請求項１９】
カニューレは、カニューレ及び注射針がそれぞれの第１位置からそれぞれの第２位置に移動するときに注射針が貫通する隔壁（８６１）を含む、請求項１８記載の装置。
【請求項２０】
経皮装置は細長のセンサ素子（７６０）であり、このセンサ素子は、センサ素子の先端部分を支持するように構成される尖った注射針（７７０）と組み合わされ、
−  カニューレ及び注射針は、駆動手段が作動すると駆動手段によってそれぞれの第１位置からそれぞれの第２位置に同時に移動するように構成され、
−  注射針は、センサ素子及び注射針がそれぞれの第２位置への移動を完了したとき、先端開口から離れる方向に移動できるように構成される、請求項９ないし１６のいずれか一項に記載の装置。
【請求項２１】
第２位置において注射針は第２ユニットに取り付けられており、第２ユニットを第１ユニットから取り外すことによって注射針を引き抜く、請求項１８ないし２０のいずれか一項に記載の装置。
【請求項２２】
装置を被験者の皮膚表面に適用する方法であって、
ａ）第１ユニット及び取り外し可能に取り付けられる第２ユニットを有する装置を設けるステップであって、第１ユニットが、
−  第１ユニットを被験者の皮膚に接着させる接着手段を有するほぼ平坦な取り付け面を含み、接着手段は、接着手段に取り外し可能に取り付けられる保護手段に覆われ、
第２ユニットが、
−  第１ユニットを収容し、第１ユニットが第２ユニットから外れるときに通過することができる開口を有する内部空間を含み、概略平面を形成し且つ開口を包囲する外周部分を有し、取り付け面は概略平面に対して内側に、又は概略平面にほぼ対応するように配置され、
−  外周部分に取り外し可能に取り付けられて第１ユニットの閉じ空間を画定する密封部材を含み、密封部材を取り外すことによって保護手段を接着手段から取り外すことができる
ステップ、
ｂ）密封部材を取り外すことにより接着手段を露出させるステップ、
ｃ）接着手段を被験者の皮膚に接触させるステップ、及び
ｄ）第２ユニットを第１ユニットから取り外すステップ
を含む方法。
【請求項２３】
密封部材が接着手段に取り外し可能に取り付けられることにより、密封部材が保護手段となる、請求項２２記載の方法。